(57)【要約】【課題】セットミスによる不具合なカードの誤発行がない。【解決手段】カード１１を発行するカード発行機１２内に配備され、発行前の多数のカード１１をそれぞれ収納する同一形状のホッパーカセット１３Ａ〜１３Ｄと、ホッパーカセット収納部１４Ａ〜１４Ｄとを備え、各ホッパーカセット１３Ａ〜１３Ｄには、それぞれ異なる位置にピン２６が配設され、各ホッパーカセット収納部１４Ａ〜１４Ｄには、対応するピン２６に係合可能な位置にキャップ２８により蓋止めされていない凹部２７ａ〜２７ｄを配設した。これにより、各ホッパーカセット１３Ａ〜１３Ｄの各ホッパーカセット収納部１４Ａ〜１４Ｄに対するセットミスによる不具合なカードの発行を解消できる。【選択図】　　　　図１
2004013741.tif 000002
【特許請求の範囲】
【請求項１】
カードを発行するカード発行機能を備えたカード発行機内に配備され、発行前の多数の前記カードをそれぞれ収納する同一形状の複数のホッパーカセットと、各ホッパーカセットを収納可能な複数のホッパーカセット収納部とを備えたカード発行機のカセットセット機構において、
前記各ホッパーカセットには、それぞれ異なる位置に第１の係合部が配設され、
前記各ホッパーカセット収納部には、対応する第１の係合部に係合可能な第２の係合部が配設されたことを特徴とするカード発行機のカセットセット機構。
【請求項２】
前記各第１の係合部が、対応する前記ホッパーカセットに着脱可能に配設され、
前記各第２の係合部が、対応する前記ホッパーカセット収納部に着脱可能に配設された請求項１記載のカード発行機のカセットセット機構。
【請求項３】
前記各第１の係合部がピンで、前記各第２の係合部がピン受入れ用の凹部である請求項１または２記載のカード発行機のカセットセット機構。
【請求項４】
前記各ホッパーカセットには、前記各第２の係合部に対応する位置に、前記第１の係合部の取り付け位置を変更可能な位置変更部を配設した請求項１から３のいずれか記載のカード発行機のカセットセット機構。
【発明の詳細な説明】
【０００１】
【発明の属する技術分野】
本発明は、カード発行機のカセットセット機構に関する。さらに詳述すると、本発明は、カード発行機のセキュリティロック付きホッパーカセットの改良に関する。
【０００２】
【従来の技術】
従来のカード発行機は、多数のカードを積み重ねてストックするとともに、端部にカード供給部が形成されたホッパーカセットを複数所定の位置に配列したホッパーカセット部と、複数のホッパーカセットのカード供給部の間を移動可能に設けられたカード取り出し移動機構とを備え、ホッパーカセットに形成されたカード供給部からカードを取り出すカード取出部とから構成されており、複数種類のカードを一緒に取り扱うことができるようになっていた（特開２０００−８２１１６号）。
【０００３】
また、ホッパーカセットから多重爪による爪繰り出し機構でカードを取り出す前に、カードの有無やカードの向きおよび表裏面が正しくセットされているなどのカードの誤セットを検知センサ手段によって検出でき、また、磁気カードを取り扱う場合には磁気ストライプの抗磁力を検出できるようにしたカード発行機も知られている（特開２０００−９９８０６号）。
【０００４】
【発明が解決しようとする課題】
しかしながら、上述したカード発行機においては、複数のカードに対応できるマルチホッパー部（ホッパーカセット収納部）にホッパーカセットを初めにセットする段階で、ホッパーカセットが同一形状であるため、セットミスによる誤発行を生じるという問題があった。
【０００５】
本発明は、複数の種類のカードを一つのカード発行機により取り扱うことができ、しかも複数のホッパーカセットを任意のホッパーカセット収納部に位置指定可能で、さらに、複数のホッパーカセット収納部に対するホッパーカセットのセットミスによる不具合なカードの発行を解消することができるカード発行機のカセットセット機構を提供することを目的とする。
【０００６】
また、本発明は、ホッパーカセットのホッパーカセット収納部に対する位置指定と、その非位置指定とを任意に選択することができるカード発行機のカセットセット機構を提供することを目的とする。
【０００７】
さらに、本発明は、構造が簡単で、コスト低下を図ることができるカード発行機のカセットセット機構を提供することを目的とする。
【０００８】
さらにまた、本発明は、ホッパーカセットのホッパーカセット収納部に対する位置指定のセット作業を簡単に行うことができるカード発行機のカセットセット機構を提供することを目的とする。
【０００９】
【課題を解決するための手段】
かかる目的を達成するため、請求項１記載の発明にかかるカード発行機のカセットセット機構は、カードを発行するカード発行機能を備えたカード発行機内に配備され、発行前の多数の前記カードをそれぞれ収納する同一形状の複数のホッパーカセットと、各ホッパーカセットを収納可能な複数のホッパーカセット収納部とを備えたカード発行機のカセットセット機構において、前記各ホッパーカセットには、それぞれ異なる位置に第１の係合部が配設され、前記各ホッパーカセット収納部には、対応する第１の係合部に係合可能な第２の係合部を配設するようにしている。
【００１０】
したがって、ホッパーカセットは、自己の第１の係合部と係合可能な第２の係合部を有するホッパーカセット収納部だけに収納が可能となる。これにより、それぞれ多数のカードを収納する同一形状の複数のホッパーカセットに対し、ホッパーカセットのホッパーカセット収納部へのセット位置を規定することができる。よって、複数のホッパーカセット収納部に対するホッパーカセットのセットミスによる不具合なカードの発行を解消することができる。
【００１１】
また、請求項２記載の発明は、請求項１記載のカード発行機のカセットセット機構において、前記各第１の係合部が、対応する前記ホッパーカセットに着脱可能に配設され、前記各第２の係合部が、対応する前記ホッパーカセット収納部に着脱可能に配設するようにしている。
【００１２】
したがって、ホッパーカセットをホッパーカセット収納部に対して位置指定する場合には、ホッパーカセットに第１の係合部を取り付け、ホッパーカセット収納部に第２の係合部を取り付ける。一方、位置指定を解除する場合には、ホッパーカセットおよびホッパーカセット収納部から、第１の係合部および第２の係合部を取り外す。これにより、ホッパーカセット収納部の位置指定と、非位置指定とを任意に選択することができる。
【００１３】
さらに、請求項３記載の発明は、請求項１または２記載のカード発行機のカセットセット機構において、前記各第１の係合部がピンで、前記各第２の係合部がピン受入れ用の凹部であるようにしている。
【００１４】
したがって、各第１の係合部をピンとし、各第２の係合部をこのピンが受け入れできる凹部としたので、構造が簡単で、コスト低下を図ることができる。
【００１５】
また、請求項４記載の発明は、請求項１から３いずれか記載のカード発行機のカセットセット機構において、前記各ホッパーカセットには、前記各第２の係合部に対応する位置に、前記第１の係合部の取り付け位置を変更可能な位置変更部を配設するようにしている。
【００１６】
したがって、ホッパーカセットのホッパーカセット収納部に対する位置指定を行う際には、ホッパーカセットの第１の係合部の位置に合わせ、位置変更部を介して、ホッパーカセット収納部の第２の係合部の取り付け位置を変更するか、ホッパーカセット収納部の第２の係合部の取り付け位置に合わせ、位置変更部を介して、ホッパーカセットの第１の係合部の位置を変更する。これにより、ホッパーカセットのホッパーカセット収納部に対する位置指定のセット作業を簡単に行うことができる。
【００１７】
【発明の実施の形態】
以下、本発明の構成を図面に示す実施の形態に基づいて説明する。
【００１８】
図１から図４に、本発明のカード発行機のカセットセット機構の一実施形態を示す。このカード発行機のカセットセット機構（以下、カセットセット機構）１０は、例えば、カード１１を発行するカード発行機１２内に配備され、発行前の多数のカード１１を収納する同一形状の複数のホッパーカセット１３と、各ホッパーカセット１３を収納可能な複数のホッパーカセット収納部１４とを備えて構成されている。
【００１９】
カード発行機１２の内部には、例えばホッパーカセット１３を配設したホッパーカセット部１７と、各ホッパーカセット１３のカード供給部からカード１１を取り出すカード取り出し移動機構１８と、カード１１に所定の文字および記号などを刻むインデント／エンボス機構１９と、刻まれた文字および記号などに色付けするトッパー機構２０と、カード１１に所定の記録を行ってカード発行口２１ａよりカード１１を発行するカードリーダ部２１と、カード発行機１２の全体を制御する制御部２２とを備えている。
【００２０】
次に、ホッパーカセット部１７を詳細に説明する。
ホッパーカセット部１７は、多数のカード１１を積み重ねてストックするとともに、下端部にカード供給部（図示せず）が形成された複数のホッパーカセット１３と、カード発行機１２のインデント／エンボス機構１９とは反対側の壁板の上部に配された複数のホッパーカセット収納部１４とから構成されている。本実施形態では、例えばそれぞれ４個のホッパーカセット１３Ａ〜１３Ｄおよびホッパーカセット収納部１４Ａ〜１４Ｄを備えており、各ホッパーカセット１３Ａ〜１３Ｄはカード供給部が同一平面上に同一方向にカード１１が取り出せるように並んで配列されている。各ホッパーカセット１３Ａ〜１３Ｄには、異なる種類のカード１１をストックしても良く、また全てのホッパーカセット１３Ａ〜１３Ｄに同じ種類のカード１１をストックしても良い。各ホッパーカセット１３Ａ〜１３Ｄは、上蓋２３を開いて上方からカード１１を補充するタイプのものである。各カード供給部には、カード１枚分の厚さよりも大きくかつカード２枚分の厚さよりも小さい隙間を有している。したがって、ホッパーカセットから２枚以上のカード１１を同時に取り出すことができない。
【００２１】
各ホッパーカセット１３Ａ〜１３Ｄは、縦長の平面視して矩形状のボックスで、その背板１３ｘの外面の一側部に、逆Ｌ字形の長尺なスペーサブロック２４が固着されている。この背板１３ｘの他側部の上部には、例えば各ホッパーカセット１３Ａ〜１３Ｄの幅方向に向かって４つのピン孔（位置変更部）１３ａ〜１３ｄが、所定ピッチで形成されている。本実施形態では、このうちでホッパーカセット１３Ａのピン孔１３ａに、カセット内部に配されたビス２５を介して、１本のピン（第１の係合部）２６が外部突出状態で固着されている。同様に、ホッパーカセット１３Ｂのピン孔１３ｂにピン２６が、またホッパーカセット１３Ｃのピン孔１３ｃにピン２６が、さらにホッパーカセット１３Ｄのピン孔１３ｄにピン２６が、それぞれ同じビス２５を介して固着されている。
【００２２】
各ホッパーカセット収納部１４Ａ〜１４Ｄには、対応するホッパーカセット１３Ａ〜１３Ｄの背板１３ｘの他側部と対峙する位置に、縦長な例えば４個のセンサボックス２７Ａ〜２７Ｄがそれぞれ１個ずつ配設されている。各センサボックス２７Ａ〜２７Ｄの内部には、何れも図示しないが、対応するホッパーカセット１３Ａ〜１３Ｄの収納の有無を検知するカセット検知センサと、収納されたホッパーカセット１３Ａ〜１３Ｄ内のカード１１の有無を検知するカード検知センサと、そのホッパーカセット１３Ａ〜１３Ｄ内のカード１１のストック量が少なくなった状態を検知するニアエンドセンサとが内蔵されている。
【００２３】
各センサボックス２７Ａ〜２７Ｄの上端部には、各ホッパーカセット１３Ａ〜１３Ｄの収納時、前記ピン孔１３ａ〜１３ｄに対向する位置に、例えば４つのピン受入れ用の凹部（第２の係合部）２７ａ〜２７ｄが並設されている。ここで、本実施形態では、センサボックス２７Ａの場合では、凹部２７ａを除いた残り全部の凹部２７ｂ〜２７ｄが、３個のキャップ（位置変更部）２８により塞がれている。また、センサボックス２７Ｂの場合では、凹部２７ｂを除いた残り全部の凹部２７ａ，２７ｃ，２７ｄがキャップ２８により塞がれている。さらに、センサボックス２７Ｃの場合では、凹部２７ｃを除いた残りの凹部２７ａ，２７ｂ，２７ｄがキャップ２８により塞がれている。さらにまた、センサボックス２７Ｄの場合では、凹部２７ｄを除いた残り全部の凹部が２７ａ，２７ｂ，２７ｃがキャップ２８により塞いでいる。
【００２４】
各キャップ２８は略直方体の小片で、それぞれの裏面には先部が二股になった掛止ピン２９が突設されている。各掛止ピン２９が、センサボックス２７Ａ，２７Ｂ，２７Ｃ，２７Ｄの各凹部２７ａ〜２７ｄの奥壁に形成された掛止孔３０に掛止されることで、各キャップ２８が対応する凹部２７ａ〜２７ｄに着脱自在に取り付けられる。
【００２５】
次に、一実施形態のカセットセット機構１０を有するカード発行機１２の作動を説明する。
【００２６】
カード発行時には、まず指定されたホッパーカセット１３Ａ〜１３Ｄのいずれかのカード供給部から、図示しないカード取り出し移動機構１８により１枚のカード１１が取り出され、その後、インデント／エンボス機構１９まで移動される。ここでは、カード１１に所定の文字および記号などが刻まれる。その後、このカード移動機構によってカード１１はトッパー機構２０に移動され、エンボス機構１９によって刻まれた文字および記号などの表面に、例えば銀色の色付けが施される。それから、カード１１はカード移動機構によりカードリーダ部２１に移動され、ここでカード１１に所定の記録を行い、カード発行口２１ａからカード１１が発行されることになる。
【００２７】
ところで、このようなカード発行に先駆け、ホッパーカセット部１７では、各ホッパーカセット１３Ａ〜１３Ｄのホッパーカセット収納部１４Ａ〜１４Ｄに対する収納作業が行われる。ただし、各ホッパーカセット１３Ａ〜１３Ｄは、各背板１３ｘから突出した１本のピン２６と対峙する位置に、キャップ２８により蓋止めされていない凹部２７ａ〜２７ｄが存在するホッパーカセット収納部１４Ａ〜１４Ｄでなければ収納できない。すなわち、仮に各ホッパーカセット１３Ａ〜１３Ｄを、適合しないホッパーカセット収納部１４Ａ〜１４Ｄの中に落とし込んだ場合には、そのピン２６が、対応するセンサボックス２７Ａ，２７Ｂ，２７Ｃ，２７Ｄのキャップ２８に当接してしまい、この収納が完了しない。
【００２８】
これにより、例えばカード１１の種類別に利用されているホッパーカセット１３Ａ〜１３Ｄに対し、４つ並設されたホッパーカセット収納部１４Ａ〜１４Ｄへのセット位置を規定することができる。これにより、例えばホッパーカセット１３Ａ〜１３Ｄのホッパーカセット収納部１４Ａ〜１４Ｄに対するセットミスによる別種類のカード１１の誤発行を解消することができる。
【００２９】
また、このようにホッパーカセット１３Ａ〜１３Ｄをホッパーカセット収納部１４Ａ〜１４Ｄに対して位置指定する場合には、ホッパーカセット１３Ａ〜１３Ｄに１本のピン２６をそれぞれ取り付け、ホッパーカセット収納部１４Ａ〜１４Ｄに凹部２７ａ〜２７ｄを配設する。一方、この位置指定を解除する場合には、ホッパーカセット１３Ａ〜１３Ｄからピン２６を取り外すか、センサボックス２７Ａ，２７Ｂ，２７Ｃ，２７Ｄから全てのキャップ２８を取り外す。これにより、ホッパーカセット収納部１４Ａ〜１４Ｄの位置指定と、非位置指定とを任意に選択することができる。
【００３０】
さらに、本実施形態では、本発明を構成する第１の係合部をピン２６とし、第２の係合部をこのピン２６を受け入れできる凹部２７ａ〜２７ｄとしたので、その構造が簡単で、コスト低下を図ることができる。
【００３１】
そして、ホッパーカセット１３Ａ〜１３Ｄのホッパーカセット収納部１４Ａ〜１４Ｄに対する位置指定を行う際には、ピン孔１３ａ〜１３ｄを介して、ホッパーカセット１３Ａ〜１３Ｄのピン２６の位置を指定するとともに、キャップ２８の着脱により対応する凹部２７ａ〜２７ｄの何れかを指定する。また、それぞれの指定位置を変更する場合も同様の作業を行う。これにより、ホッパーカセット１３Ａ〜１３Ｄのホッパーカセット収納部１４Ａ〜１４Ｄに対する位置指定のセット作業を簡単に行うことができる。
【００３２】
なお、上述の実施形態は本発明の好適な実施の一例ではあるがこれに限定されるものではなく、本発明の要旨を逸脱しない範囲において種々変形実施可能である。例えば、各センサボックス２７Ａ，２７Ｂ，２７Ｃ，２７Ｄに形成された全ての凹部２７ａ〜２７ｄにキャップ２８を固定し、例えば突起のあるツールなどで、選択されたキャップ２８を破壊するように構成していもよい。
【００３３】
また、ビス止め式のピン２６は、あらかじめホッパーカセット１３Ａ〜１３Ｄにカシメ法などで固定しても良い。
【００３４】
さらに、このピン２６は、ホッパーカセット１３Ａ〜１３Ｄに対して一体形成しても良い。
【００３５】
さらにまた、ピン２６をセンサボックス２７Ａ，２７Ｂ，２７Ｃ，２７Ｄに取り付け、キャップ２８および凹部２７ａ〜２７ｄをホッパーカセット１３Ａ〜１３Ｄに取り付けてもよい。
【００３６】
【発明の効果】
以上の説明より明らかなように、請求項１記載の発明にかかるカード発行機のカセットセット機構によると、各ホッパーカセットのそれぞれ異なる位置に第１の係合部を配設するとともに、各ホッパーカセット収納部には、対応する第１の係合部に係合可能な位置に第２の係合部を配設したので、複数の種類のカードを一つのカード発行機により取り扱うことができ、しかも複数のホッパーカセットを任意のホッパーカセット収納部に位置指定可能で、さらに、複数のホッパーカセット収納部に対するホッパーカセットのセットミスによる不具合なカードの発行を解消することができる。
【００３７】
また、請求項２記載の発明にかかるカード発行機のカセットセット機構によると、各第１の係合部が、対応するホッパーカセットに着脱可能に配設され、各第２の係合部が、対応するホッパーカセット収納部に着脱可能に配設されているので、ホッパーカセットのホッパーカセット収納部に対する位置指定と、その非位置指定とを任意に選択することができる。
【００３８】
さらに、請求項３記載の発明にかかるカード発行機のカセットセット機構によると、各第１の係合部がピンで、各第２の係合部がピン受入れ用の凹部であるので、構造が簡単で、コスト低下を図ることができる。
【００３９】
さらにまた、請求項４記載の発明にかかるカード発行機のカセットセット機構によると、各ホッパーカセットには、各第２の係合部に対応する位置に、第１の係合部の取り付け位置を変更可能な位置変更部を配設したので、ホッパーカセットのホッパーカセット収納部に対する位置指定のセット作業を簡単に行うことができる。
【図面の簡単な説明】
【図１】本発明のカード発行機のカセットセット機構の一実施形態を示す要部拡大斜視図である。
【図２】本発明のカード発行機のカセットセット機構が適用されたカード発行機の概略構成を示す平面図である。
【図３】本発明のカード発行機のカセットセット機構の一実施形態に組み込まれたセンサボックスの拡大正面図である。
【図４】本発明のカード発行機のカセットセット機構の一実施形態に組み込まれたセンサボックスの拡大縦断面図である。
【符号の説明】
１０　カード発行機のカセットセット機構
１１　カード
１２　カード発行機
１３Ａ〜１３Ｄ　ホッパーカセット
１４Ａ〜１４Ｄ　ホッパーカセット収納部
２６　ピン（第１の係合部）
２７ａ〜２７ｄ　凹部（第２の係合部）
１３ａ〜１３ｄ　ピン孔（位置変更部）
２８　キャップ（位置変更部）
【図１】
2004013741.tif 000003
【図２】
2004013741.tif 000004
【図３】
2004013741.tif 000005
【図４】
2004013741.tif 000006